【事件の表示】
　特願２０００−　４０９３４「遊技機」拒絶査定不服審判事件〔平成１３年　８月２１日出願公開、特開２００１−２２４８０６〕について、次のとおり審決する。
【結　論】
　本件審判の請求は、成り立たない。
【理　由】
１．手続きの経緯
　本願は、平成１２年２月１８日の出願であって、平成１５年１月３０日付の拒絶理由通知が通知され、平成１５年４月１日付で意見および手続補正がなされ、平成１５年５月７日付の拒絶査定がなされるとともに、平成１５年６月６日に審判請求がなされ、平成１５年７月２日付で手続補正がなされたものである。
　　　　　　　　　　　　　　　　　　　　　　　　　　　
２．平成１５年７月２日付の手続補正についての補正却下の決定　　　　　　　　　　　　　　　　　　　　　　　　　　　　　　　　
［補正却下の決定の結論］
　　平成１５年７月２日付の手続補正を却下する。
　　　　　　　　　　　　　　　　　　　　　　　　　　　
［理由］
（１）補正後の本願発明
　平成１５年７月２日付の手続補正における請求項１は、平成１５年４月１日付の手続補正により補正された請求項１〜３に記載された発明を特定するための事項の限定に相当するものであるから、平成１５年７月２日付の手続補正は平成１５年改正前特許法第１７条の２第４項第１号および第２号の規定に適合している。
　　　　　　　　　　　　　　　　　　　　　　　　　　　
　したがって、平成１５年７月２日付の手続補正により補正された特許請求の範囲の請求項１に係る発明は、その請求項１において特定される下記のとおりのものである。
　　　　　　　　　　　　　　　　　　　　　　　　　　　
　「遊技機の種々の機能を制御する複数の制御基盤を単一の制御基盤収納ケース内に収納してなる遊技機において、前記制御基盤収納ケースが、第１の制御基盤と第２の制御基盤とが互いに小間隔を隔てて少なくとも部分的に重なり合う状態で並列的に配設される第１の基盤収容部と第２の基盤収容部とを有するベース枠体と該ベース枠体を覆うカバーとからなり、
前記第１基盤収容部に配設される第１制御基盤の電子電気部品実装面と前記第２基盤収容部に配設される第２制御基盤の電子電気部品実装面とが同一方向を向くように配設され、
前記第１の制御基盤の配線コネクタと第２の制御基盤の配設コネクタが前記第１制御基盤の電子電気部品実装面側及び第２制御基盤の電子電気部品実装面側に
　　　　　　　　　　　　　　　　　　　　　　　　　　　　
　そこで、本願補正発明が、特許出願の際独立して特許を受けることができるものであるか（平成１５年改正前特許法第１７条の２第５項において準用する同法第１２６条第４項に適合するか）について以下に検討する。
　　　　　　　　　　　　　　　　　　　　　　　　　　　　
（２）引用例について
１）引用例１について
　原査定の拒絶の理由に引用された特開平４−２９７２８７号公報（以下、「引用例１」という。）には、以下の技術事項が図面とともに記載されている。
　　　　　　　　　　　　　　　　　　　　　　　　　　　　
・記載事項１
　「【０００７】図面において１は遊技板であり、２はこの遊技板の背面に沿って取付けた入賞球通路３、４、５を一体に形成してなるセット板、６はこのセット板２を避けた遊技板背面の左側縁部に沿って縦に設けた本発明に係る取付台で、７はこの取付台を介して遊技板１に組込んだ制御用の回路ボックスである。」
　　　　　　　　　　　　　　　　　　　　　　　　　　　　
・記載事項２
　「【０００８】遊技板１はここには図示しない機構板に収められパチンコ機本体に対して着脱自由に装着される所謂分離式パチンコ機の遊技板として示してあり、上記左右には表示ランプ装着窓８，９が、下部中央部にはアウト球を通す透孔１０が設けてある。」
　　　　　　　　　　　　　　　　　　　　　　　　　　　
・記載事項３
　「【００１１】さて、取付台６は遊技板に固定するための脚片１３と、この脚片の上縁から直角に延びる台部分１４からなり、合成樹脂を素材に形成されている。台部分１４は長方形の回路ボックス７を取付けるため縦長の長方形に形成してあり、その左方の側縁部と上下側縁部の３辺にそって断面コ字形をなすように脚片１３を垂設し、取付台全体が一側面を開放した筐形をなすよう形成してある。脚片１３は前述セット板２の通路５を越える高さに形成して脚端に設ける取付片１５を介して遊技板に固着し、この状態のとき上記台部分１４と遊技板背面との間にこのセット板が楽に収まる空間１６が出来るようにしてある。尚、遊技板１に対する取付台６の取付位置を定めるため、予め遊技板には下方に丸孔１ａを、上方に縦長の長孔１ｂを設け、この両孔に取付片１５に設ける突起１５ａ，１５ｂを各嵌合させることによって位置合わせするようにしてある。」
　　　　　　　　　　　　　　　　　　　　　　　　　　　
・記載事項４
　「【００１２】図中、１７は中継基板であり、１８はこの中継基板にコネクター１９を介して着脱自由に接続される制御回路基板である。中継基板１７はプラスチック製の皿形の取付板２０に嵌め付けて一体化し、この取付板２０の下面に設けるＬ字形の係止片２１を台部分１４の上面に水平方向に渡す帯板状の係止部２２に掛け止めることによって取り外し自由に装着できるようにしてあり、他方、制御回路基板１８は回路ボックス７に予め組合わせて一体となり、ここでは多数の端子を突き出す雄形コネクター１９を中継基板に備える雌形コネクター２３に突き入れて接続させ、この接続によって相互に連結し組付けられるようにしてある。」
　　　　　　　　　　　　　　　　　　　　　　　　　　　
・記載事項５
　「【００１３】尚、上記回路ボックスは、主として遊技板１に設備される大入賞装置を始めとする全ての入賞装置を制御する制御回路を纏め収めると共に、遊技板に備えられる表示ランプや照明ランプ類を点滅させる回路を一括して収め、遊技板と一体化するもので、パチンコ機本体から遊技板を外すときこれに設備される上記入賞装置と共に取り外されることになる。」
　　　　　　　　　　　　　　　　　　　　　　　　　　　　
・記載事項６
　「【００１４】【発明の効果】本発明は上述の如く構成されるもので、回路ボックス７を取付ける取付台６は脚片１３を遊技板背面に固定されるセット板２を避けた側縁部に沿って固着することから遊技板背面に設備される入賞球通路等の所要の機構部品類の設置の妨げとなることなく設備することができると共に、この取付台の台部分１４は遊技板背面との間に空間１６を設けて上記機構部品類との干渉が避けられていることから必要充分な大きさに形成することができ、従って大型の回路ボックスを組付けられる利点がある。また、本発明取付構造は取付台の台部分に対して中継基板の取付板を着脱自由に掛け止めることから回路ボックスを自由にしかも簡便に変換することができ、入賞装置の入賞条件の変更等の作業の際容易に行える利点がある。」
　　　　　　　　　　　　　　　　　　　　　　　　　　　
　以上の記載事項１〜記載事項６及び図１〜図３の記載によれば、引用例１には次の発明が記載されていると認められる。
　　　　　　　　　　　　　　　　　　　　　　　　　　　　
　「パチンコ機の種々の機能を制御する中継基盤１７と制御回路基板１８を具備する遊技機において、中継基盤１７と制御回路基板１８とが互いに小間隔を隔てて少なくとも部分的に重なり合う状態で並列的に配設される中継基盤１７を収容する皿形取付板２０を有する取付台６と制御回路基板１８を収容して取付台６を覆う回路ボックス７とで中継基盤１７と制御回路基板１８が収納され、中継基盤１７の雄形コネクター１９と制御回路基板１８の雌形コネクター２３が露出して設けられているパチンコ機」（以下、「引用例１に記載された発明」という。）
　　　　　　　　　　　　　　　　　　　　　　　　　　　　　　　　　
２）引用例２について
　原査定の拒絶の理由に引用された実願平４−４６５３５号（実開平６−７７８５号）のＣＤ−ＲＯＭ（以下、「引用例２」という。）には、以下の技術事項が図面とともに記載されている。
　　　　　　　　　　　　　　　　　　　　　　　　　　
・記載事項７
　「 【０００３】【考案が解決しようとする課題】 しかしながら、上記従来構成では、２個の配線基板を別々に機本体に取付ける作業を行わなければならず、組立作業性が悪かった。また、２個の配線基板を取付けるための配設スペースをそれぞれ確保する必要があるので、配線基板取付用のスペースの面積が大きくなるという欠点があった。更に、機本体に取付ける前において配線基板を取り扱う場合、基板に装着された電子部品が露出していることから、傷付きが生じ易いという欠点もあった。」
　　　　　　　　　　　　　　　　　　　　　　　
・記載事項８
　「【０００４】 そこで、本考案の目的は、組立作業性を向上できると共に、配線基板取付用のスペースの面積を小さくでき、また、配線基板を取り扱う際に傷付きが生じることを防止できるパチンコ機を提供するにある。」
　　　　　　　　　　　　　　　　　　　　　　　　　　　
・記載事項９
　「 【００１１】 さて、機本体１の背面上部の右端部には、全体として矩形箱状をなす基板ケース７が取付けられている。以下、この基板ケース７について、図１、図３及び図４も参照して詳細に説明する。まず、図３に示すように、基板ケース７は、右側の第１の分割ケース部８、左側の第２の分割ケース部９及びこれら２個の分割ケース部８、９を連結するセルフヒンジ部１０から構成されている。尚、図３は、セルフヒンジ部１０で二つ折りにする前の延ばした状態の基板ケース７を示している。   」
　　　　　　　　　　　　　　　　　　　　　　　　　　　
・記載事項１０
　「 【００１２】 ここで、上記第１の分割ケース部８は、図１にも示すように、浅底の矩形容器状をなしており、その底面部にはほぼ矩形状の開口部８ａが形成されている。この開口部８ａの周縁部には、四隅部に位置して４個の取付部８ｂが突設されており、各取付部８ｂにはそれぞれねじ孔が形成されている。また、底面部の周縁部の四隅部には、機本体１に基板ケース７を取付けるための４個の取付部８ｃが形成されており、各取付部８ｃにはそれぞれねじ孔が形成されている。」
　　　　　　　　　　　　　　　　　　　　　　　　　　　　
・記載事項１１
　「【００１３】そして、第１の分割ケース部８内には、図１に示すように、第１の配線基板１１が収容されており、この場合、第１の配線基板１１は図示しないねじを挿通させて上記各取付部８ｂのねじ孔に締め付けることにより第１の分割ケース部８に取付け固定されている。尚、上記第１の配線基板１１上には、第１の電気回路である例えば電源回路が設けられており、該電源回路を構成する各種の電子部品１２やヒューズ１３等が装着されている。 」
　　　　　　　　　　　　　　　　　　　　　　　　　　　　
・記載事項１２
　「【００１４】一方、第２の分割ケース部９も、浅底の矩形容器状をなしており、その底面部にはほぼ矩形状の開口部９ａが形成されている。この開口部９ａの周縁部には、四隅部に位置して４個の取付部９ｂが突設されており、各取付部９ｂにはそれぞれねじ孔が形成されている。 」
　　　　　　　　　　　　　　　　　　　　　　　　　　　
・記載事項１３
　「【００１５】そして、第２の分割ケース部９内には、図１に示すように、第２の配線基板１４が収容されており、この場合、第２の配線基板１４は図示しないねじを挿通させて上記各取付部９ｂのねじ孔に締め付けることにより第２の分割ケース部９に取付け固定されている。尚、上記第２の配線基板１４上には、第２の電気回路である例えばデータ出力回路が設けられており、該データ出力回路を構成する各種の電子部品１５が装着されている。上記データ出力回路は、パチンコ機で発生した「大当たり」や「中当たり」等の入賞データを外部のホストコンピュータへ出力するための回路である。外部のホストコンピュータは、上記入賞データに基づいて入賞回数及び種類等を集計し、パチンコホール全体の管理に利用するように構成されている。」
　　　　　　　　　　　　　　　　　　　　　　　　　　　　　
　以上の記載事項７〜記載事項１３及び図１〜図５の記載によれば、第２の配線基板１４が収容された分割ケース９と、第１の配線基板１１を収納した分割ケース８とから、第１の配線基板１１と第２の配線基板１４を基板ケース７内に収納しているパチンコ機が示されている。
　上記のように、第２の配線基板１４が分割ケース９に収納されていること、第１の配線基板１１が分割ケース８に収納されることおよびケース７は分割ケース８と９から構成されていること、図５およびその機能からみて、引用例２に記載された発明の「第２の配線基板１４」は、本願補正発明の「第１の制御基盤」、以下同様に、「分割ケース９」は「カバー」、「第１の配線基板１１」は「第２の制御基盤」、「分割ケース８」は「ベース枠体」、「遊技機」は「パチンコ機」「基板ケース７」は「単一の制御基盤収納ケース」に相当していることは、明らかなことである。
　そうすると、引用例２には、以下の発明が記載されているということができる。
　「第１の制御基盤が収容されたカバーと、第２の制御基盤を収容したベース枠体とから、第１の制御基盤と第２の制御基盤とを単一の制御基盤収納ケース内に収納するパチンコ機」（以下、「引用例２に記載された発明」という。）
　　　　　　　　　　　　　　　　　　　　　　　　　　　
（３）対比
　引用例１に記載された発明と本願補正発明を対比すると、引用例１に記載された発明の「パチンコ機」は本願補正発明の「遊技機」に相当している。以下同様に、「中継基盤１７と制御回路基板１８」は「複数の制御基盤」、「中継基盤１７」は「第１の制御基盤」、「制御回路基板１８」は「第２の制御基盤」、「皿形取付板２０」は「第１の制御基盤収容部」、「取付台６」は「ベース枠体」、「回路ボックス７」は「カバー」、「雄形コネクター１９」は「配線コネクタ」、「雌形コネクター２３」は「配設コネクタ」にそれぞれ相当している。
　　　　　　　　　　　　　　　　　　　　　　　　　　　
　そうすると、本願補正発明と引用例１に記載された発明は、
　　　　　　　　　　　　　　　　　　　　　　　　　　　
　「遊技機の種々の機能を制御する複数の制御基盤を具備する遊技機において、第１の制御基盤と第２の制御基盤とが互いに小間隔を隔てて少なくとも部分的に重なり合う状態で並列的に配設される第１の制御基盤を収容する第１の制御基盤収容部を有するベース枠体と第２の制御基盤を収容してベース枠体を覆うカバーとで第１の制御基盤と第２の制御基盤が収納され、第１の制御基盤の配線コネクタと第２の制御基盤の配設コネクタが露出して設けられている遊技機」の点で一致し、以下の点で相違している。
　　　　　　　　　　　　　　　　　　　　　　　　　　
・相違点１
　第１の制御基盤と第２の制御基盤が、本願補正発明においては、単一のケースに収納されているのに対して、引用例１に記載された発明においては、制御回路基板１８を収容した取付台６と、制御回路基板１８を収納した回路ボックス７が取付台６を覆うようにすることにより収納する点。
　　　　　　　　　　　　　　　　　　　　　　　　　
・相違点２
　第１の制御基盤の電子電気部品実装面と第２制御基盤の電子電気部品実装面とが、本願補正発明においては、同一方向に向くように配設されているのに対して、引用例１に記載された発明においては、同一方向に向くように配設されている否か不明な点。
　　　　　　　　　　　　　　　　　　　　　　　　　　　
・相違点３
　本願補正発明においては、第１の制御基盤と第２の制御基盤は、互いにずらした方向の反対側のケースのカバーの両側壁にそれぞれ開口部を形成して配線コネクタおよび配設コネクタを露出させることにより、ケースのカバーの開口部において、第１の制御基盤の配線コネクタと第２の制御基盤の配設コネクタが互いに重なり合わないように配置しているのに対して、引用例１に記載された発明においては、第１の制御基盤を収容する回路ボックス７の一方に開口部を設けて配線コネクタを露出させるとともに、第２の制御基盤を収容する取付台６に開口部を設けることなく配設コネクタを露出させ、第１の制御基盤の開口部に設けた配線コネクタと第２の制御基盤に設けた配設コネクタを重なるように配置している点。
　　　　　　　　　　　　　　　　　　　　　　　　　　　
（４）判断
　上記相違点について、検討する。
　　　　　　　　　　　　　　　　　　　　　　　　　　　　
＜相違点１について＞
　引用例２に記載された発明は、第１の制御基盤が収容されたカバーと、第２の制御基盤を収容したベース枠体とから、第１の制御基盤と第２の制御基盤とを単一の制御基盤収納ケース内に収納するパチンコ機が示されている。
　そして、引用例２に記載された発明と引用例１に記載された発明はともに、パチンコ機の複数の制御基盤のスペース等を考慮してケース内に収納する点で関連するものであるから、相互に技術利用することに格別の困難性を見出すことはできない。
　そうすると、引用例１に記載された発明の第２の制御基盤を収容する取付台であるベース枠体を、第１の制御基盤を収容するカバーである回路ボックスにより覆うことにより両制御基盤を収納するものに代えて、引用例２に記載された発明の第１の制御基盤を収容するカバーと第２の制御基盤を収納するベース枠体から構成された単一の制御基盤収納ケース内に収納するようにすること、すなわち上記相違点１に係る構成とすることは、当業者が、容易になし得る程度のことということができる。
　　　　　　　　　　　　　　　　　　　　　　　　　　　　　　　　　
＜相違点２について＞
　パチンコ技術分野に限らず、一般的な技術分野における制御基盤を収納するケースや箱において、上下又は左右に重なるように配置された回路基盤の電子電機部品実装面を同じ方向にすることは、周知技術にすぎない（以下、「周知技術Ａ」という。必要であれば、一般的技術分野の例、Ａ−１：実願平１−９２５９９号（実開平３−３２４８６号）のマイクロフィルム、Ａ−２：特開平６−２０９１７０号公報、Ａ−３：特開平１０−１７３３５８号公報の（ｂ）〜（ｃ）および図５、パチンコ技術分野の例：Ａ−４：特開平９−８３１４８号公報等参照されたい）。
　上記周知技術Ａに示すように、一般的技術分野における制御基盤等の配設技術は既にパチンコ技術分野においても利用され（Ａ−４）、かつ、周知技術Ａ−３に他の制御基盤ケースや箱用に転用できる旨の記載があることから、一般的周知技術Ａをパチンコ技術分野に適用することに格別困難なことということはできない。
　そうすると、引用例１に記載された発明の第１の制御基盤と第２の制御基盤の電子電気部品実装面が互いに異なるものに代えて、上記周知技術Ａを採用することにより、第１の制御基盤の電子電気部品実装面と第２制御基盤の電子電気部品実装面とが、同一方向に向くように配設すること、すなわち上記相違点２に係る構成とすることは、当業者が、容易になし得る程度のことということができる。
　　　　　　　　　　　　　　　　　　　　　　　　　　　　　
＜相違点３について＞
　パチンコ技術分野の配線基盤を収納するケースにおいて、蓋部材の両側にコネクター穴を設けて、収納した回路基盤のコネクターを両側に配設する点は周知な技術にすぎない（以下、「周知技術Ｂ」という。必要であれば、Ｂ−１：特開平６−１５４４００号公報、Ｂ−２：特開平１１−３１９２６８号公報、Ｂ−３：特開平１１−２２４１１１号公報等参照されたい）。
　また、プリント回路盤等の制御基盤を上下又は左右に重ね、かつ、互いに両端部を重なりあわないように配置する点は、周知技術にすぎない（以下、「周知技術Ｃ」という。必要であれば、Ｃ−１：上記相違点２の周知技術Ａ−３として示した特開平１０−１７３３５８号公報の図４（ｂ）〜（ｃ）、上記相違点２の周知技術Ａ−２として示したＣ−２：特開平６−２０９１７０号公報、上記相違点２の周知技術Ａ−４として示したＣ−３：特開平９−８３１４８号公報参照されたい。）
　上記相違点２において示したように、一般的技術分野における制御基盤を収納するケースや箱、および配線基盤のケース内の配設技術は既にパチンコ技術分野においても利用され、かつ、一般技術分野の制御基盤収納ケースや箱用に関する技術を他の技術分野に転用できる旨の記載があるのであるから、パチンコ技術分野における周知技術Ｂをパチンコ技術分野における制御基盤を収納するケースや箱に適用すること、および上記一般的な周知技術Ｃをパチンコ技術分野における制御基盤を収納するケースや箱に適用することは格別困難なことということはできない。
　そうすると、引用例１に記載された発明の第１の制御基盤を収容する回路ボックス７の一方に開口部を設けて配線コネクタを露出させるとともに、第２の制御基盤を収容する取付台６に開口部を設けることなく配設コネクタを露出させ、第１の制御基盤の開口部に設けた配線コネクタと第２の制御基盤に設けた配設コネクタを重なるように配置したものに代えて、上記周知技術Ｃである制御板収納ケースにおいて第１の制御基盤の電子電気部品実装面と第２の制御基盤の電子電気実装面が互いに重ならないように露出して、配線コネクタおよび配設コネクタを露出させることを参酌しつつ、上記周知技術Ｂである制御基盤を収納するケースのカバーの両側壁にそれぞれ開口部を形成して、制御基盤の開口部において、第１の制御基盤の配線コネクタと第２の制御基盤の配設コネクタが互いに重なり合わないように配置するようにすること、すなわち上記相違点３に係る構成とすることは、当業者が容易になし得る程度の技術事項と言うことができる。
　　　　　　　　　　　　　　　　　　　　　　　　　　　　　　　
（５）作用効果
　本願補正発明によって奏する効果も、引用例１に記載された発明、引用例２に記載された発明および上記周知技術Ａ〜Ｃに基づいて、普通に予測できる範囲内のものであって格別のものがあるとは認められない。
　　　　　　　　　　　　　　　　　　　　　　　　　　　　
（６）むすび
　よって、本願補正発明は、引用例１に記載された発明、引用例２に記載された発明および上記周知技術Ａ〜Ｃに基づいて、当業者が容易に発明することができたものであり、特許法第２９条第２項により特許を受けることができない。
　　　　　　　　　　　　　　　　　　　　　　　　　　　　　
（７）補正却下の判断
　以上のとおり、本願補正発明は、平成１５年改正前特許法第１７条の２第５項で準用する同法第１２６条第４項の規定に違反するものであるので、平成１５年７月２日付の手続補正は、特許法第１５９条第１項で準用する特許法第５３条第１項の規定により却下されるべきものである。
　　　　　　　　　　　　　　　　　　　　　　　　　　　
３．本願発明について
　平成１５年７月２日付の手続補正は上記のとおり却下されているので、本願発明は、平成１５年４月１日付の手続補正書における特許請求の範囲の請求項１において特定される以下のものである。
　「遊技機の種々の機能を制御する複数の制御基盤を単一の制御基盤収納ケース内に収納してなる遊技機
において、
第１の制御基盤と第２の制御基盤とが互いに小間隔を隔てて少なくとも部分的に重なり合う状態で並列的に配設される第１の基盤収容部と第２の基盤収容部とを
前記カバーの前記第１の制御基盤と第２の制御基盤の互いにずらした方向の反対側の両側壁にそれぞれ開口部が形成され、該各開口部に前記第１の制御基盤の配線コネクタと第２の制御基盤の配設コネクタが
に
設けられて
　　　　　　　　　　　　　　　　　　　　　　　　　　　
（１）引用例について
　引用例１の記載、引用例２の記載およびそれら記載事項は、上記２．（２）引用例についてに記載したとおりである。
　　　　　　　　　　　　　　　　　　　　　　　　　　
（２）対比・判断
　本願発明は、上記２．（４）判断で検討した本願補正発明の「第１基盤収容部に配設される第１制御基盤の電子電気部品実装面と前記第２基盤収容部に配設される第２制御基盤の電子電気部品実装面とが同一方向を向くように配設され、」と、開口部に第１の制御基盤の配線コネクタと第２の制御基盤の配設コネクタが互いに重なり合わないように露出して設ける際の「第１制御基盤の電子電気部品実装面側及び第２制御基盤の電子電気部品実装面側に」なる構成を削除したものである。
　そうすると、本願発明の構成要件をすべて含み、さらに他の構成要件を付加したものに相当する本願補正発明が、上記に記載したとおり、引用例１に記載された発明、引用例２に記載された発明および上記周知技術Ａ〜Ｃに基づいて、当業者が容易に発明することができたものであるので、特許法第２９条第２項の規定により特許を受けることができないものであるから、本願発明も、同様の理由により、引用例１に記載された発明、引用例２に記載された発明および上記周知技術Ａ〜Ｃに基づいて、当業者が容易に発明をすることができたものである。
　　　　　　　　　　　　　　　　　　　　　　　
（３）むすび
　以上のとおり、本願発明は、引用例１に記載された発明、引用例２に記載された発明および上記周知技術Ａ〜Ｃに基づいて、当業者が容易に発明をすることができたものであるから、特許法第２９条第２項の規定により特許を受けることができない。
　よって、結論のとおり審決する。